(57)【要約】【課題】  薬剤、接着剤、着色料などを収容することができるとともに、器具や筆などの長尺物を立てておくことができる多目的容器を提供する。【解決手段】  容器本体１の上部および下部に収容部２、３を形成し、これら収容部２、３の開口２ａ、３ａの覆い蓋４の保持部５を前記容器本体１の側部に沿うようにして設け、さらに長尺物の挿入部６を前記容器本体１の角部に設けたものとしている。そして、容器本体１を略直方体形状としている。さらに、覆い蓋４の上面に摘体８を設けたものとしている。また、覆い蓋４の下面に収容部２、３の開口２ａ、３ａに嵌まり込むリブ９を形成したものとしている。さらに、容器本体１の少なくとも対向する二側部に指掛け用の窪み部７を形成したものとしている。【選択図】    図１
2006062738.tif 000002
【特許請求の範囲】
【請求項１】
容器本体（１）の上部および下部に収容部（２、３）を形成し、これら収容部（２、３）の開口（２ａ、３ａ）の覆い蓋（４）の保持部（５）を前記容器本体（１）の側部に沿うようにして設け、さらに長尺物の挿入部（６）を前記容器本体（１）の角部に設けたことを特徴とする多目的容器。
【請求項２】
前記容器本体（１）を略直方体形状としたことを特徴とする請求項１記載の多目的容器。
【請求項３】
前記覆い蓋（４）の上面に摘体（８）を設けたものとしたことを特徴とする請求項１または２記載の多目的容器。
【請求項４】
前記覆い蓋（４）の下面に収容部（２、３）の開口（２ａ、３ａ）に嵌まり込むリブ（９）を形成したことを特徴とする請求項１〜３の何れかに記載の多目的容器。
【請求項５】
前記容器本体（１）の少なくとも対向する二側部に指掛け用の窪み部（７）を形成したことを特徴とする請求項１〜４の何れかに記載の多目的容器。
【発明の詳細な説明】
【技術分野】
【０００１】
この発明は、歯科技工や歯科治療、手工芸に用いる薬剤、接着剤、着色料などを収容したり、これら歯科技工や歯科治療、手工芸に用いる器具や筆などの長尺物を立てておくのに適した多目的容器に関するものである。
【背景技術】
【０００２】
従来、歯科用容器としては、例えば図４に示したように、一端２１が開放されるとともに、他端が閉塞されて底部２２をなす円筒状の容器の底部２２の内面及び底部２２近傍の円筒２３の内側面に、歯科用治療器具２４、２５、２６の落下衝突による衝撃を吸収する性質を有するとともに、化学的に安定な耐熱性材料により略円盤状をなす内底部２７を形成したものが存在する（特許文献１）。
【０００３】
このように構成された歯科用容器は、歯科用治療器具２４、２５、２６を過誤により落下挿入しても、容易に破損することがなく、歯科用容器としての機能を十分果たすことができるとしている。
【０００４】
さらに、手工芸に用いられる容器として、例えば図５に示したように、カラーパウダーＣを収容部３１に収容可能としたダッペンプレート３２や、即硬化性常温重合レジン液Ｒ、またはこのレジン液Ｒと油性のカラーインクを混ぜたカラーリキッド（図示せず）などを、筆３３の筆先に受け取れるようにして収容しておけるダッペングラス３４が存在する（特許文献２）。
【特許文献１】実開平６−２６８１７号公報（第２頁、図１）
【特許文献２】特開平１１−２２９２２２号公報（第３頁、図３）
【発明の開示】
【発明が解決しようとする課題】
【０００５】
しかしながら、上記従来の歯科用容器は、歯科用治療器具などの長尺物を容器内に挿入して、この長尺物を単に立てておくためだけのものであり、薬剤、接着剤、着色料などを収容することはできなかった。
【０００６】
さらに、上記従来の手工芸に用いられる容器は、薬剤、接着剤、着色料などを収容することはできても、手工芸に用いる筆などの長尺物を立てておくことはできなかった。
【０００７】
そこで、この発明は、上記従来の課題を解決するものであり、薬剤、接着剤、着色料などを収容することができるとともに、器具や筆などの長尺物を立てておくことができる多目的容器を提供することを目的としてなされたものである。
【課題を解決するための手段】
【０００８】
そのため、この発明の多目的容器は、容器本体１の上部および下部に収容部２、３を形成し、これら収容部２、３の開口２ａ、３ａの覆い蓋４の保持部５を前記容器本体１の側部に沿うようにして設け、さらに長尺物の挿入部６を前記容器本体１の角部に設けたものとしている。
【０００９】
そして、この発明の多目的容器は、容器本体１を略直方体形状としている。
【００１０】
さらに、この発明の多目的容器は、覆い蓋４の上面に摘体８を設けたものとしている。
【００１１】
また、この発明の多目的容器は、覆い蓋４の下面に収容部２、３の開口２ａ、３ａに嵌まり込むリブ９を形成したものとしている。
【００１２】
さらに、この発明の多目的容器は、容器本体１の少なくとも対向する二側部に指掛け用の窪み部７を形成したものとしている。
【発明の効果】
【００１３】
この発明の多目的容器は、以上に述べたように構成されているので、収容部２、３に薬剤、接着剤、着色料などを収容することができると共に、挿入部６に長尺物を立てておくことができるものとなる。
【００１４】
さらに、この発明の多目的容器は、覆い蓋４を設けたものとしているので、収容部２、３に収容した薬剤、接着剤、着色料などに塵や埃が入らないようにして保存しておくことができる。
【００１５】
また、この発明の多目的容器は、容器本体１を略直方体形状としているので、覆い蓋４の保持部５や長尺物の挿入部６が容器本体１に設け易くなる。
【００１６】
さらに、この発明の多目的容器は、覆い蓋４の保持部５を設けているので、歯科技工や歯科治療、手工芸の作業中に覆い蓋４の保管場所に困ることがない。
【００１７】
また、この発明の多目的容器は、覆い蓋４の上面に摘体８を設けたものとしているので、指で簡単に摘むことができ、覆い蓋４を外したり被せたりし易いものとなる。
【００１８】
さらに、この発明の多目的容器は、覆い蓋４の下面にリブ９を形成しているので、収容部２、３に収容した薬剤、接着剤、着色料などの保存中に、覆い蓋４が収容部２、３の開口２ａ、３ａからずれることがない。
【００１９】
また、この発明の多目的容器は、容器本体１に指掛け用の窪み部７を形成したものとしているので、容器本体１を手で持つときなどに滑るようなことはなく、非常に持ち易いものとなる。
【発明を実施するための最良の形態】
【００２０】
以下、この発明の多目的容器の実施の形態を、図面に基づいて詳細に説明する。
【００２１】
この発明の多目的容器は、図１〜３に示したように、容器本体１の上部および下部に収容部２、３を形成し、これら収容部２、３の開口２ａ、３ａの覆い蓋４の保持部５を前記容器本体１の側部に沿うようにして設け、長尺物の挿入部６を前記容器本体１の角部に設け、さらに指掛け用の窪部７を前記容器本体１の側部に設けたものとしている。
【００２２】
容器本体１は、図示したものは、略直方体形状としており、覆い蓋４の保持部５を側部に設け易くしたり、長尺物の挿入部６を角部に設け易くしているが、略円柱体形状などにすることもできる。また、容器本体１の材質は、ガラス製とするのが、重量があって安定性が良くなるので好ましいが、合成樹脂製、陶器製などとすることもできる。
【００２３】
収容部２、３は、図示したものは、一方を深い臼形状とし、他方を浅い臼形状としているが、臼形状ではなく容器本体１の外形に沿った形状とすることもでき、また一方を浅く、他方を深くする必要もなく、同じ深さに形成してもよい。収容部２、３を臼形状とした場合には、歯科技工や歯科治療、手工芸に用いる薬剤、接着剤、着色料などが混ぜ易くなったり、取り出し易くなる。なお、上部の収容部２に薬剤、接着剤、着色料などを収容する場合は、容器本体１をそのままの状態で使用するが、下部の収容部３に薬剤、接着剤、着色料などを収容する場合は、容器本体１を逆さまにした状態で使用するのはいうまでもない。
【００２４】
覆い蓋４は、容器本体１の上面および下面と略同形状に作成されており、その材質は容器本体１と同様にガラス製や合成樹脂製、陶器製などとすることができる。さらに、この覆い蓋４の上面には、覆い蓋４を外したり被せたりし易くするため、指で簡単に摘むことができる摘体８を設けたものとしている。また、この覆い蓋４の下面には、覆い蓋４が収容部２、３の開口２ａ、３ａからずれないように、これら開口２ａ、３ａに嵌まり込むリブ９を形成したものとしている。このリブ９は、収容部２、３の開口２ａ、３ａの全周に沿って嵌まり込むように形成しても、開口２ａ、３ａの所々に嵌まり込むように形成してもよい。なお、この覆い蓋４には、挿入部６に挿入した長尺物の邪魔にならないように、その角部に切欠部１０を必要に応じて設けておくこともできる。
【００２５】
保持部５は、容器本体１の側部の二個所に設けたものとしており、図示したものは、覆い蓋４の一部を保持して容器本体１に覆い蓋４を立て掛けておけるようにするため、断面形状を略Ｌ字状としており、一つを容器本体１の一側部の下部から保持空間Ｓを介在させてその側部に沿うようにし、もう一つを容器本体１の他側部の上部から保持空間Ｓを介在させてその側部に沿うようにしている。このようにすることにより、容器本体１がそのままの状態であっても、逆さまにした状態であっても、覆い蓋４を保持部５に保持することができる。さらに、保持部５には、必要に応じて、覆い蓋４の摘体８を引っ掛けて、この覆い蓋４が保持部５からずれたり、落ちないようにしておくための掛け部１１を設けたものとすることができる。なお、保持部５の形状は、図示した形状に限らず、覆い蓋４を保持できるものであればその形状はどのようなものであってもよい。
【００２６】
挿入部６は、容器本体１の角部の四個所に設けたものとしており、図示したものは、歯科用治療器具や筆などの長尺物の一部を挿入して立て掛けておけるようにするため、四個所のうちの二個所は上から下に向けた挿入穴を、隣り合う角部の下部に設けており、他の二個所は下から上に向けた挿入穴を、他の隣り合う角部の上部に設けている。このようにすることにより、容器本体１がそのままの状態であっても、逆さまにした状態であっても、長尺物を挿入部６に挿入した状態にしておくことができる。なお、この挿入部６は、前記四個所のうちの二個所に設けた挿入穴を、向かい合う角部の下部に設け、他の二個所に設けた挿入穴を、他の向かい合う角部の上部に設けたものとしてもよい。
【００２７】
窪部７は、容器本体１の少なくとも対向する二側部に設けたものとしているが、図示したものは、容器本体１の四側部すべてに設けたものとしている。この窪部７は、指を掛け易くするため、曲面状に少し窪ませた形状としているが、指を掛けることができればその形状はどのようなものであってもよい。
【００２８】
以上のように構成されたこの発明の多目的容器は、例えば図２に示したように、容器本体１から覆い蓋４を外して、この覆い蓋４を保持部５に保持しておけば、容器本体１に覆い蓋４を立て掛けておける。そして、この状態で、収容部３に薬剤、接着剤、着色料などを収容し、歯科用治療器具や筆などを用いて混ぜたり取り出したりすることができる。また、容器本体１を逆さまにすれば、収容部２に薬剤、接着剤、着色料などを収容することができ、それらを歯科用治療器具や筆などを用いて混ぜたり取り出したりすることができる。
【００２９】
さらに、この発明の多目的容器は、例えば図３に示したように、容器本体１に覆い蓋４を被せておけば、収容部２に収容した薬剤、接着剤、着色料などに塵や埃が入らないようにして保存しておくことができる。そして、この状態で、歯科用治療器具や筆などの長尺物の一部を挿入部６に挿入して、これら長尺物を立て掛けておくことができる。
【図面の簡単な説明】
【００３０】
【図１】この発明の多目的容器の一実施形態を示す斜視図である。
【図２】この発明の多目的容器の一使用状態を示す側面図である。
【図３】この発明の多目的容器の他の使用状態を示す側面図である。
【図４】従来の歯科用容器の斜視図である。
【図５】従来の手工芸に用いられる容器の斜視図である。
【符号の説明】
【００３１】
１  容器本体
２  収容部
２ａ  開口
３  収容部
３ａ  開口
４  覆い蓋
５  保持部
６  挿入部
７  窪部
８  摘体
９  リブ
【図１】
2006062738.tif 000003
【図２】
2006062738.tif 000004
【図３】
2006062738.tif 000005
【図４】
2006062738.tif 000006
【図５】
2006062738.tif 000007